(57)【特許請求の範囲】
【請求項１】
ＵＰＳと、
前記ＵＰＳに接続される端末と、
前記ＵＰＳに接続される管理端末と、
を有し、
前記ＵＰＳは、
主電源と接続する電力線と接続し電力の放出及び蓄積を可能にするバッテリと、
前記バッテリよりも入力側の前記電力線に設けられ、該電力線を通じて通信信号の送受信を可能にする入力側ＰＬＣ送受信部と、
前記バッテリよりも出力側の前記電力線に設けられ該電力線を通じて通信信号の送受信を可能にする出力側ＰＬＣ送受信部と、
各種情報の格納及び読み出しを可能にするＵＰＳメモリと、
前記通信信号及び前記ＵＰＳメモリに格納された情報に基づいて各種処理を行うＵＰＳ制御部と、
を有して構成され、
前記端末は、
前記ＵＰＳと接続する電力線を通じて通信信号の送受信を可能にする端末ＰＬＣ送受信部と、
各種情報の格納及び読み出しを可能にする端末メモリと、
前記端末ＰＬＣ送受信部を介して受信した通信信号及び前記端末メモリに格納された情報に基づいて各種処理を行う端末制御部と、
を有して構成され、
前記管理端末は、
前記ＵＰＳと接続する電力線を通じて通信信号の送受信を可能にする管理端末ＰＬＣ送受信部と、
各種情報の格納及び／又は読み出しを可能にする管理端末メモリと、
前記管理端末ＰＬＣ送受信部により受信された通信信号及び前記管理端末メモリに格納された情報に基づいて各種処理を行う管理端末制御部と、
を有して構成される電力供給管理システムであって、
前記端末メモリには、該端末メモリを搭載する端末の自己識別を可能にする識別情報と、前記ＵＰＳ及び前記端末の接続に関連する各種処理を実行するためのＵＰＳ管理プログラムとが格納され、
前記端末制御部は、前記ＵＰＳ管理プログラムに従って、前記端末メモリに格納された識別情報を前記管理端末に対して送信し、
前記ＵＰＳメモリには、該ＵＰＳメモリを搭載するＵＰＳの自己認識を可能にする識別情報と、前記ＵＰＳ管理プログラムとが格納され、
前記ＵＰＳ制御部は、前記ＵＰＳ管理プログラムに従って、前記ＵＰＳメモリに格納された識別情報を前記管理端末に対して送信し、
前記管理端末メモリには、受信した前記端末の識別情報と前記ＵＰＳの識別情報とを関連付けたデータを格納する接続構成データベースと、前記ＵＰＳ管理プログラムとが格納され、
前記管理端末制御部は、前記ＵＰＳ管理プログラムに従って、前記接続構成データベースを前記端末と前記ＵＰＳの接続関係に応じて更新するとともに、該接続構成データベースに基づいて前記ＵＰＳ及び前記端末の接続構成を認識するための処理を実行する、
電力供給管理システム。
【請求項２】
前記管理端末制御部は、前記ＵＰＳに接続された前記端末に対して、該端末の端末メモリに前記ＵＰＳプログラムが格納されているかを判定するための処理を実行し、格納されていないと判定された場合には、前記管理端末メモリに格納された前記ＵＰＳプログラムを該端末に対して送信する、
請求項１記載の電力供給管理システム。
【請求項３】
ＵＰＳと、該ＵＰＳから電力を供給される端末と、前記ＵＰＳから電力を供給される管理端末とが、ＰＬＣ通信により互いに通信可能になされたシステムにおいて用いられる電力供給管理方法であって、
前記管理端末の制御部が、前記ＵＰＳに対して該ＵＰＳの識別情報を要求する識別情報要求信号を送信するステップと、
前記ＵＰＳの制御部が、前記識別情報要求信号を受信すると、該ＵＰＳのメモリに格納され該ＵＰＳ及び前記端末の接続に関連する各種処理を実行するためのＵＰＳ管理プログラムに従って、該メモリに格納された該ＵＰＳに関する識別情報を前記管理端末に対して送信するステップと、
前記管理端末の制御部が、前記端末に対して該端末の識別情報を要求する識別情報要求信号を送信するステップと、
前記端末の制御部が、該端末に対して送信された前記識別情報要求信号を受信すると、該端末のメモリに格納された前記ＵＰＳ管理プログラムに従って、該メモリに格納された該端末に関する識別情報を前記管理端末に対して送信するステップと、
前記管理端末の制御部が、受信した前記ＵＰＳの識別情報と前記端末の識別情報とを関連付けたデータを用いて、どのＵＰＳにどの端末が接続されているかを認識するための接続構成データベースを更新するステップと、
を有する電力供給管理方法。
【請求項４】
前記管理端末の制御部が、前記ＵＰＳに接続された前記端末に対して、該端末のメモリに前記ＵＰＳ管理プログラムが格納されているかを判定するための処理を実行し、格納されていないと判定された場合には、前記ＵＰＳ管理プログラムを該端末に対して送信するステップ、
を更に有する請求項３記載の電力供給管理方法。
【発明の詳細な説明】
【技術分野】
【０００１】
本発明は、ＵＰＳ（Uninterruptible Power Supply：無停電電源装置）を用いて構成される電力供給システムにおいて、ＵＰＳ及びこれに接続される各端末の状態を管理するための技術に関し、特にＵＰＳと各端末との通信手段としてＰＬＣ（Power Line Communication：電力線搬送通信）を用いるものに関する。
【背景技術】
【０００２】
コンピュータ等の端末に電力を供給する構造として、商用電源と端末との間に、ＵＰＳを挿入する構造が用いられている。この構造により、商用電源に停電等の不具合が発生した場合でも、端末への電力供給を継続することができ、その間に端末を安全にシャットダウンさせる等の安全処理を施すことが可能となる。
【０００３】
上記のような安全処理、又は常時の状態監視を可能にするためには、端末とＵＰＳとの間で信号の送受を可能にする何らかの通信手段が必要となる。この通信手段としては、主にイーサネット（登録商標）やＰＬＣが用いられているが、両者を比較した場合、シリアルケーブルやＬＡＮケーブル等が不要となる等の利点から、ＰＬＣを用いることが望まれる。
【０００４】
ＵＰＳを用いた電力供給構造であって、ＵＰＳと端末との間の通信手段としてＰＬＣを用いるものの例として、次のような従来構造が開示されている。この従来構造に係るシステムは、ＵＰＳの電源入力部及び電源出力部のそれぞれに、ＰＬＣ通信を可能にする送信手段及び受信手段を設けることにより、ＵＰＳ内部の状態等を外部に送信すると共に、外部からの指令等をＵＰＳ内部に受信することができるとされている。また、実施例の１つとして、ＵＰＳや端末（管理対象コンピュータ）をＰＬＣを用いて遠隔操作可能にする操作盤を備える構成が開示されており、これによりＵＰＳに接続された端末に対し、起動やシャットダウン等の指令を送ることができるとされている（特許文献１参照）。
【特許文献１】特開２０００−２３６５８７号公報
【発明の開示】
【発明が解決しようとする課題】
【０００５】
上記のようなＵＰＳと端末との接続には、接続後に物理的な接続確認が必要であり、接続ミスが生ずることがあった。また、接続構成の変更、即ち新規な端末が接続されたり、端末の接続先を他のＵＰＳに変更したりといったことがなされた場合にも、同様の接続確認が必要となり、このことがコスト増大の要因となっていた。上記特許文献１に係る構造は、ＵＰＳと端末との接続構成を認識するための手順が示されているものではなく、このような問題を解決できるものではない。
【０００６】
そこで、本発明は、ＰＬＣ通信を用いたＵＰＳによる電力供給構造において、ＵＰＳと端末との接続構成を自動的に認識することができるようにすることを目的とする。
【課題を解決するための手段】
【０００７】
上記課題を解決するために、本発明は、ＵＰＳと、前記ＵＰＳに接続される端末と、前記ＵＰＳに接続される管理端末とを有し、前記ＵＰＳは、主電源と接続する電力線と接続し電力の放出及び蓄積を可能にするバッテリと、前記バッテリよりも入力側の前記電力線に設けられ、該電力線を通じて通信信号の送受信を可能にする入力側ＰＬＣ送受信部と、前記バッテリよりも出力側の前記電力線に設けられ該電力線を通じて通信信号の送受信を可能にする出力側ＰＬＣ送受信部と、各種情報の格納及び読み出しを可能にするＵＰＳメモリと、前記通信信号及び前記ＵＰＳメモリに格納された情報に基づいて各種処理を行うＵＰＳ制御部とを有して構成され、前記端末は、前記ＵＰＳと接続する電力線を通じて通信信号の送受信を可能にする端末ＰＬＣ送受信部と、各種情報の格納及び読み出しを可能にする端末メモリと、前記端末ＰＬＣ送受信部を介して受信した通信信号及び前記端末メモリに格納された情報に基づいて各種処理を行う端末制御部とを有して構成され、前記管理端末は、前記ＵＰＳと接続する電力線を通じて通信信号の送受信を可能にする管理端末ＰＬＣ送受信部と、各種情報の格納及び／又は読み出しを可能にする管理端末メモリと、前記管理端末ＰＬＣ送受信部により受信された通信信号及び前記管理端末メモリに格納された情報に基づいて各種処理を行う管理端末制御部とを有して構成される電力供給管理システムであって、前記端末メモリには、該端末メモリを搭載する端末の自己識別を可能にする識別情報と、前記ＵＰＳ及び前記端末の接続に関連する各種処理を実行するためのＵＰＳ管理プログラムとが格納され、前記端末制御部は、前記ＵＰＳ管理プログラムに従って、前記端末メモリに格納された識別情報を前記管理端末に対して送信し、前記ＵＰＳメモリには、該ＵＰＳメモリを搭載するＵＰＳの自己認識を可能にする識別情報と、前記ＵＰＳ管理プログラムとが格納され、前記ＵＰＳ制御部は、前記ＵＰＳ管理プログラムに従って、前記ＵＰＳメモリに格納された識別情報を前記管理端末に対して送信し、前記管理端末メモリには、受信した前記端末の識別情報と前記ＵＰＳの識別情報とを関連付けたデータを格納する接続構成データベースと、前記ＵＰＳ管理プログラムとが格納され、前記管理端末制御部は、前記ＵＰＳ管理プログラムに従って、前記接続構成データベースを前記端末と前記ＵＰＳの接続関係に応じて更新するとともに、該接続構成データベースに基づいて前記ＵＰＳ及び前記端末の接続構成を認識するための処理を実行するものである。
【０００８】
また、本発明は、ＵＰＳと、該ＵＰＳから電力を供給される端末と、前記ＵＰＳから電力を供給される管理端末とが、ＰＬＣ通信により互いに通信可能になされたシステムにおいて用いられる電力供給管理方法であって、前記管理端末の制御部が、前記ＵＰＳに対して該ＵＰＳの識別情報を要求する識別情報要求信号を送信するステップと、前記ＵＰＳの制御部が、前記識別情報要求信号を受信すると、該ＵＰＳのメモリに格納され該ＵＰＳ及び前記端末の接続に関連する各種処理を実行するためのＵＰＳ管理プログラムに従って、該メモリに格納された該ＵＰＳに関する識別情報を前記管理端末に対して送信するステップと、前記管理端末の制御部が、前記端末に対して該端末の識別情報を要求する識別情報要求信号を送信するステップと、前記端末の制御部が、該端末に対して送信された前記識別情報要求信号を受信すると、該端末のメモリに格納された前記ＵＰＳ管理プログラムに従って、該メモリに格納された該端末に関する識別情報を前記管理端末に対して送信するステップと、前記管理端末の制御部が、受信した前記ＵＰＳの識別情報と前記端末の識別情報とを関連付けたデータを用いて、どのＵＰＳにどの端末が接続されているかを認識するための接続構成データベースを更新するステップとを有するものである。
【発明の効果】
【０００９】
上記構成により、ＰＬＣ通信を用いたＵＰＳによる電力供給構造において、ＵＰＳと端末との接続構成を自動的に認識することができるようにすることが可能となる。
【発明を実施するための最良の形態】
【００１０】
以下に、本発明の実施の形態を添付した図面を参照して説明する。図１において、本発明に係る電力供給管理システム１の基本的な構成が示されている。この電力供給管理システム１は、主電源からの電力供給が停止した場合にも所定時間は電力供給を継続することが可能な複数のＵＰＳ２ａ，２ｂ，・・と、ＵＰＳ２ｂ，・・に接続されるコンピュータ等の複数の端末３ａ，３ｂ，・・と、ＵＰＳ２ａに接続されＵＰＳ２ａ，２ｂ，・・及び端末３ａ，３ｂ，・・の接続構成の監視や各機器の状態管理等の処理を行うコンピュータ等の管理端末４を有して構成される。
【００１１】
前記ＵＰＳ２ａ，２ｂ，・・は、バッテリ１０と、入力側ＰＬＣ送受信部１１と、出力側ＰＬＣ送受信部１２と、ＵＰＳメモリ１３と、ＵＰＳ制御部１４とを有して構成される。バッテリ１０は、商用電源等の主電源と接続する電力線１５と接続し、電力の放出及び蓄積を可能にするものである。入力側ＰＬＣ送受信部１１は、前記バッテリ１０よりも入力側に設けられ、電力線１５を通じて通信信号の送受信を可能にするものである。出力側ＰＬＣ送受信部１２は、前記バッテリ１０よりも出力側に設けられ、電力線１６を通じて通信信号の送受信を可能にするものである。ＵＰＳメモリ１３は、ＲＯＭ、ＲＡＭ等からなる記憶装置であり、各種情報処理に使用される情報の読み書きを可能にし、自己の識別を可能にする識別情報１７、ＵＰＳ２ａ，２ｂ，・・及び端末３ａ，３ｂ，・・の接続に関連する各種処理を実行するためのＵＰＳ管理プログラム１８を格納する。ＵＰＳ制御部１４は、ＣＰＵ、所定のプログラム等の協働により各種情報処理を可能にするものであり、前記入力側ＰＬＣ送受信部１１及び前記出力側ＰＬＣ送受信部１２を介して得られた情報、及び前記ＵＰＳメモリ１３に格納された情報に基づいて、各種情報処理を行う。
【００１２】
前記端末３ａ，３ｂ，・・は、端末ＰＬＣ送受信部２０と、端末メモリ２１と、端末制御部２２とを有して構成される。端末ＰＬＣ送受信部２０は、前記ＵＰＳ２ｂ，・・と接続する電力線１６を通じて通信信号の送受信を可能にするものである。端末メモリ２１は、ＲＯＭ、ＲＡＭ、ＨＤＤ等からなる記憶装置であり、各種情報処理に使用される情報の読み書きを可能にし、自己の識別を可能にする識別情報２３、前記ＵＰＳ管理プログラム１８を格納する。端末制御部２２は、ＣＰＵ、所定のプログラム等の協働により各種情報処理を可能にするものであり、前記端末ＰＬＣ送受信部２０を介して得られた情報、及び前記端末メモリ２１に格納された情報に基づいて、各種情報処理を行う。
【００１３】
前記管理端末４は、管理端末ＰＬＣ送受信部３０と、管理端末メモリ３１と、管理端末制御部３２とを有して構成される。管理端末ＰＬＣ送受信部３０は、前記ＵＰＳ２ａと接続する電力線１６を通じて通信信号の送受信を可能にするものである。管理端末メモリ３１は、ＲＯＭ、ＲＡＭ、ＨＤＤ等からなる記憶装置であり、各種情報処理に使用される情報の読み書きを可能にし、前記ＵＰＳ管理プログラム１８、前記ＵＰＳメモリ１３に格納された情報と前記端末メモリ２１に格納された情報とが関連付けられてなる接続構成データベース３３を格納するものである。管理端末制御部３２は、ＣＰＵ、所定のプログラム等の協働により各種情報処理を可能にするものであり、前記管理端末ＰＬＣ送受信手段により受信された通信信号及び前記接続情報データベース３３に基づいて、前記ＵＰＳ２ａ，２ｂ，・・及び前記端末３ａ，３ｂ・・の接続構成を認識する処理を行う。
【００１４】
上記構成により、ＰＬＣ通信を用いて、ＵＰＳ２ａ，ａｂ，・・と端末３ａ，３ｂ，・・との接続構成の自動認識や、非常時におけるシャットダウン等の処理を行うことが可能となる。以下に、より詳細な構成及び動作について説明する。
【００１５】
発明の実施の形態１．
図２において、本実施の形態に係る電力供給管理システム１が示されている。第１のＵＰＳ５０及び第２のＵＰＳ５１は、商用電源から引かれたコンセント５２，５３にそれぞれ接続されている。第１のＵＰＳ５０には、第１の端末５４及び第２の端末５５が接続され、第２のＵＰＳ５１には、管理端末５６が接続されている。
【００１６】
第１のＵＰＳ５０及び第２のＵＰＳ５１は、同様の構成を有しており、ここでは第１のＵＰＳ５０について説明する。入力側ＰＬＣ送受信部６０は、入力側の電力線６１からのＰＬＳ通信信号の送受信を行う。バッテリ６２は、停電発生時に端末５４，５５への電力供給を可能にするための逐電機能を有し、又商用電源とこのバッテリ６２とを切り替えるスイッチ機構等を有する。制御部６３は、ルータ機能を有し端末５４，５５及び管理端末５６との通信処理を行う通信制御部６４と、バッテリ６２の稼動状態を監視する処理を行うバッテリ監視部６５と、コンセントボックス７０ａ，７０ｂ，７０ｃに端末５４，５５が接続されているかを確認し接続されている場合には端末５４，５５の制御部７５から端末５４，５５に関する情報を入手する処理を行う接続監視部６６と、コンセントボックス７０ａ，７０ｂ，７０ｃのＯＮ／ＯＦＦ切換を行うスイッチ７１の制御を行うスイッチ制御部６７とを有して構成される。メモリ７２は、制御部６３の各種制御に必要な情報を保存する領域となり、不揮発性メモリ７３を含んで構成される。出力側送受信部７４は、出力側の電力線７３ａ，７３ｂ，７３ｃからのＰＬＣ通信信号の送受信を行う。コンセントボックス７０ａ，７０ｂ，７０ｃは、この第１のＵＰＳ５０に接続される端末５４，５５のコンセントが挿入される部分であり、任意の個数を設置可能である。また、コンセント５２，５３は、商用電源から延長されるものであり、両ＵＰＳ５０，５１の双方向通信を可能にする。
【００１７】
第１の端末５４及び第２の端末５５は、ＣＰＵ、記憶装置、Ｉ／Ｏポート、ユーザインターフェース等を有して構成され、所定のプログラムに従って動作するコンピュータ等である。この例では、両端末５４，５５の構成要素は基本的に同等であり、電源ユニット７６、ＰＬＣ送受信部７７、制御部７５、メモリ７８を有して構成される。第１の端末５４は、２つの電源ユニット７６を備え、片方の電源ユニット７６が故障しても動作可能となる冗長電源構成となっている。制御部７５は、ＰＬＣ送受信部７７を介しての通信処理を行う通信部７９、前記第１（第２）のＵＰＳ５０（５１）が停電状態になった場合等に、端末５４（５５）を安全にシャットダウンするための処理を行うシャットダウン処理部８０、管理端末５６からの情報要求があった場合に、情報を返却（管理端末５６に対して送信）する処理を行うデータ処理部８１を有して構成される。メモリ７８は、各種プログラムや制御部７５の設定情報等が格納される領域となる。
【００１８】
管理端末５６は、ＵＰＳ５０，５１と端末５４，５５の状態を管理する。制御部８３は、前記端末５４，５５と同様の機能を有する通信部８４、シャットダウン処理部８５、データ処理部８６を有し、更に端末５４，５５とＵＰＳ５０との接続構成を認識するための構成認識部８７を有する。メモリ８８は、前記端末５４，５５と同様に、各種プログラム、データベース、制御部８３の設定情報等が格納される保存領域となり、ここに前記構成認識部８７が入手した情報も格納される。表示部８９は、制御部８３が収集した情報をコンソール等に表示する。
【００１９】
以下に、本実施の形態における動作を説明する。図３及び図４において、管理端末５６がシステム全体の運用開始時に端末５４，５５とＵＰＳ５０，５１の接続構成を認識する処理が示されている。先ず、管理端末５６の制御部８３の構成認識部８７が、第２のＵＰＳ５１の制御部６３（接続監視部６６）に対し、第２のＵＰＳ５１に接続される端末が他に存在するかを確認するための要求を送信する（Ｓ１０１）。要求を受け取った第２のＵＰＳ５１の制御部６３は、コンセントボックス７０ａ，・・毎に端末が接続されているかを確認するために、端末の制御部に対してデータ要求を行う（Ｓ１０２）。本実施の形態においては、第２のＵＰＳ５１には管理端末５６以外の端末は接続されていないため、制御部６３は端末からの返信がないと判断し（Ｓ１０３）、管理端末５６には第２のＵＰＳ５１に関する情報（識別情報）と他の端末が存在しない旨の情報を返却する。ＵＰＳの識別情報は、ＵＰＳ名、ネットワークアドレス、ＵＰＳ追加情報等である。返却後、第２のＵＰＳ５１に接続される端末の情報と、要求元の管理端末５６のネットワークアドレスは、第２のＵＰＳ５１のメモリ７２（不揮発性メモリ７３）に保存される（Ｓ１０６）。
【００２０】
管理端末５６の制御部８３は、返却された受信データを、メモリ８８中に存在する接続構成データベース９０（図４参照）に格納する（Ｓ２０７）。図４に示す接続構成データベース９０には、ＵＰＳ名９１、ネットワークアドレス９２、ＵＰＳ追加情報９３が含まれ、第２のＵＰＳ５１に接続される端末として管理端末５６自身の情報が格納される。この格納データには、端末名９４、端末のネットワークアドレス９５、ＯＳ名、バージョン等の端末追加情報９６が含まれる。格納後、ネットワーク上の他のＵＰＳ（第１のＵＰＳ５０）の接続情報を確認するため、第２のＵＰＳ５１に対しＵＰＳの発見要求を行う（Ｓ１０８）。次いで図４において、第２のＵＰＳ５１の制御部６３（接続確認部６６）は管理端末４からの要求を受信し他のＵＰＳの存在を確認するため、電力線６１上に存在確認のためのブロードキャストを行い（Ｓ１０９）、ＵＰＳからの返信待ち状態となる（Ｓ１１０）。第２のＵＰＳ５１の制御部６３（通信制御部６４）は、要求を受信すると、自ＵＰＳの情報として接続構成データベース９０のＵＰＳ名９１、ネットワークアドレス９２、ＵＰＳ追加情報９３を返送する。その情報を受信（Ｓ１１１）した第２のＵＰＳ５１の制御部６３は、更に他のＵＰＳからの返送データがないか待ち合わせ（Ｓ１１２）、なければ返送データのすべてを管理端末５６の制御部８３へ返送する（Ｓ１１３）。
【００２１】
管理端末５６の制御部８３の構成認識部８７は、受信データを接続情報データベースに格納し（Ｓ１１４）、各ＵＰＳに対し、ＵＰＳに接続される端末が他に存在するかを確認するための要求を送信する（Ｓ１１５）。
【００２２】
第１のＵＰＳ５０の制御部６３（接続監視部６６）は、第２のＵＰＳ５１と同様の処理（Ｓ１１２〜Ｓ１１６）を行い、ＵＰＳに接続される端末に関する情報を、管理端末５６の制御部８３（構成認識部８７）に返却する（Ｓ１１６）。
【００２３】
管理端末５６の制御部８３（構成認識部８７）は、受信データを接続構成データベースに格納する（Ｓ１１７）。他に存在するＵＰＳがなければ（Ｓ１１８）、構成情報の収集が完了したことを表示部８９に通知し、表示部４７が構成情報を表示する（Ｓ１１９）。
【００２４】
上記処理により構成情報の収集が完了するが、通常一定期間ごとに同様の処理を行うことで、大きな構成変更、ＵＰＳや端末の追加等が発生しても自動的な対処が可能になる。
【００２５】
次に、図６において、接続が変更された際に接続構成を即時反映するための動作について説明する。ここで示すのは、第１のＵＰＳ５０に、当初第２の端末５５が接続されておらず、まだ前記制御部７５の機能（通信部７９、シャットダウン処理部８０、データ処理部８１の機能）を奏するためのプログラム（ＵＰＳ管理プログラム）がインストールされていない状況で、第２の端末５６が新規接続された場合である。第１のＵＰＳ１０に第２の端末５５が接続され起動すると、コンセントボックス７０ｃに負荷がかかったことを制御部６３（接続監視部６６）が検知し、接続状況の確認処理が自動的に動作する。すると、第２の端末５５の制御部７５に対し、接続されているかを確認するためのデータ要求を行う（Ｓ２０１）。第２の端末５５にはまだ前記ＵＰＳ管理プログラムがインストールされておらず、第１のＵＰＳ５０への返信は行われない（Ｓ２０２）ため、制御部６３（接続監視部６６）は標準の通信プロトコルであるService Location Protocol（SLP）や、Simple Network Management Protocol（SNMP）等により第２の端末５５のネットワークアドレスを入手し、ＯＳ種別を認識する（Ｓ２０３）。確認できた場合には、第２の端末５５のＯＳ種別及びネットワークアドレス、又ＵＰＳ管理プログラムが存在しない旨の情報を付加する（Ｓ２０４）。確認できなかった場合には前記ＵＰＳ管理プログラムが存在しないことだけを端末情報に付加する（Ｓ２０５）。その情報を自ＵＰＳのコンセントボックス７０ｃ等の情報と併せて、管理端末５６の制御部８３（構成認識部８７））に返却し、第２の端末５５の情報を自身の不揮発性メモリ７３にも保存する（Ｓ２０７）。
【００２６】
管理端末５６の制御部８３（構成認識部８７）は、受信データを接続構成データベース９０（図５参照）に格納（Ｓ２０８）し、追加された第２の端末５５に前記ＵＰＳ管理プログラムが存在しないことを認識（Ｓ２０９）する。第２の端末５５のＯＳ情報やネットワークアドレスが入手できているかを確認（Ｓ２１０）し、入手できていなければ、システム管理者へ新規の端末が接続されたことを通知（Ｓ２１１）し、入手できていれば、端末のＯＳ種別により必要となる前記ＵＰＳ管理プログラムを選択し、標準的なプロトコルであるFile Transfer Protocol（FTP）等により、自動的に第２の端末５５に転送する。また、転送だけでなくSecure Shell（SSH）等のリモートコマンドによりインストールまで行う。更に、再度第１のＵＰＳ５０に対し端末確認処理を要求する（Ｓ２１２）。第１のＵＰＳ５０の接続監視部６６は、再度同様の処理を実行し、第２の端末５５の制御部７５から端末の情報を入手することができ（Ｓ２０５）、再度自ＵＰＳのコンセントボックス７０ｃ等の情報と併せて、管理端末５６の制御部８３（構成認識部８７）に返却し、第２の端末５５の情報を自身の不揮発性メモリ７３にも保存する（Ｓ２０７）。
【００２７】
管理端末５６の制御部８３（構成認識部８７）は、受信データを接続構成データベース９０（図５参照）に格納（Ｓ２０８）し、追加された第２の端末５５に前記ＵＰＳ管理プログラムがあることを確認する（Ｓ２０９）。その後、表示部４７に構成情報更新通知を送信して表示部４７が表示を行う（Ｓ２１３）。
【００２８】
次に、図７において、第１のＵＰＳ５０が管理端末５６に認識されていない状況で、新規に第１のＵＰＳ５０を設置した場合の動作を説明する。第１のＵＰＳ５０をコンセント５２に接続し起動すると、第１のＵＰＳ５０の制御部６３（接続監視部６６）は、自ＵＰＳの入力側の電力線６１上にブロードキャストし、管理端末５６のネットワークアドレスを問い合わせる（Ｓ３０１）。すると第２のＵＰＳ５１の制御部６３（接続監視部６６）は、自ＵＰＳの管理端末５６のネットワークアドレスを返却する。第１のＵＰＳ５０の制御部６３（接続監視部６６）が返却データを受信すると、自ＵＰＳの情報を管理端末５６に送信し、管理端末５６のネットワークアドレスを不揮発性メモリ７３に保存する（Ｓ３０３）。以降の処理は、図４のＳ１１４以降と同様に、管理端末５６が接続構成を認識する。
【００２９】
上記本発明によれば、ＰＬＳ通信を利用して各種制御が可能となるので、端末とＵＰＳとの通信経路を個別に考慮する必要がなくなる。また、ノート型ＰＣ等の設置場所を移動することが多い端末を利用する際に、設置場所を移動しても、意識することなくＵＰＳに関する制御が可能となる。更に、前記ＵＰＳ管理プログラムが必要となる端末を自動認識し、転送することができるので、端末に個別に前記ＵＰＳ管理プログラムをインストールする必要がない。
【図面の簡単な説明】
【００３０】
【図１】本発明に係る電力供給管理システムの基本的な構成を示すブロック図である。
【図２】本発明の実施の形態１に係る電力供給管理システムの構成を示すブロック図である。
【図３】管理端末がシステム全体の運用開始時に端末とＵＰＳの接続構成を認識するための処理の前半部分を示すフローチャートである。
【図４】管理端末がシステム全体の運用開始時に端末とＵＰＳの接続構成を認識するための処理の後半部分を示すフローチャートである。
【図５】接続構成データベースの構造を示す図である。
【図６】接続が変更された際に接続構成を反映するための処理を示すフローチャートである。
【図７】第１のＵＰＳが管理端末に認識されていない状況で、新規に第１のＵＰＳを設置した場合の処理を示すフローチャートである。
【符号の説明】
【００３１】
１  電力供給管理システム
２ａ，２ｂ  ＵＰＳ
３ａ，３ｂ  端末
４  管理端末
１０  バッテリ
１１  入力側ＰＬＣ送受信部
１２  出力側ＰＬＣ送受信部
１３  ＵＰＳメモリ
１４  ＵＰＳ制御部
１５，１６  電力線
１７，２３  識別情報
１８  ＵＰＳ管理プログラム
２０  端末ＰＬＣ送受信部
２１  端末メモリ
２２  端末制御部
３０  管理端末ＰＬＣ送受信部
３１  管理端末メモリ
３２  管理端末制御部
３３  接続構成データベース
【図１】
0004983704.tif 000002
【図２】
0004983704.tif 000003
【図３】
0004983704.tif 000004
【図４】
0004983704.tif 000005
【図５】
0004983704.tif 000006
【図６】
0004983704.tif 000007
【図７】
0004983704.tif 000008